(57)【要約】本発明の実施形態は、モニタ安全カバー（１０９）および露出されていないビデオ入力および電源ケーブル（４６）を有し、リモートコントロールされるビデオモニタ（４２）を内蔵するヘッドレスト固定手段（１０）を有する。これは、ＯＥＭヘッドレストまたはアフターマーケットの交換用ヘッドレストとなる。本発明のこの実施形態では、ヘッドレストの安全に関する必要要件を満たし、車両製造者の仕様を満たす。これは、後方向きビデオモニタを収容するために特別に改造されたヘッドレストとは異なる。モニタ安全カバー（１０９）によって、後部シートに座っている人がモニタにぶつかることを防止する。
2005532224.tif 000002
【特許請求の範囲】
【請求項１】
組込み式ビデオディスプレイ装置を有する車両用ヘッドレストであって、
少なくとも１本の中空ピラーと、
前記少なくとも１本の中空ピラーによってシートに連結されたヘッドレストサポートと、
ビデオディスプレイ装置と、
前記ビデオディスプレイ装置に電力とビデオ入力とを供給するケーブルと、
前記ヘッドレストサポートに接続されたヘッドレストピローと、
を有し、
前記ヘッドレストピローは、後向き構造体と、圧力に対して柔軟な前向き構造体とを有し、
前記圧力に対して柔軟な前向き構造体は、シートに座った者の後頭部が突然後ろに振り動かされることを防止する、大きさおよび形状であり、且つそのような位置に置かれ、
前記ヘッドレストピローの後向き構造体は、前記ビデオディスプレイ装置を収容する大きさおよび形状であり、
前記ケーブルは、前記少なくとも１本の中空ピラーを通って延びる、
車両用ヘッドレスト。
【請求項２】
前記少なくとも１本の中空ピラーは、装着されるシートに対して垂直方向の複数の位置に、自らを配置するように調整することができる垂直調整機構を有する、請求項１に記載の組込み式ビデオディスプレイ装置を有する車両用ヘッドレスト。
【請求項３】
前記ケーブルは、前記少なくとも１本の中空ピラーから前記シートを通って下に延びる、請求項１に記載の組込み式ビデオディスプレイ装置を有する車両用ヘッドレスト。
【請求項４】
前記ヘッドレストピローは、成形された発泡体パッドの芯およびカバーを有し、前記カバーは、外観、色、手触りにおいて、前記ヘッドレストが装着されるシートをカバーする物質と似た物質から作られる、請求項１に記載の組込み式ビデオディスプレイ装置を有する車両用ヘッドレスト。
【請求項５】
前記ヘッドレストピローは、成形された発泡体パッドの芯とカバーとを有し、前記カバーは、外観、色、手触りにおいて、前記ヘッドレストが装着されるシートをカバーする物質と補完的な物質から作られる、請求項１に記載の組込み式ビデオディスプレイ装置を有する車両用ヘッドレスト。
【請求項６】
前記ビデオディスプレイ装置は、アクティブマトリクスＴＦＴ液晶ディスプレイモニタである、請求項１に記載の車両用ヘッドレスト。
【請求項７】
複数の前記ピラーは前記ヘッドレストサポートを前記シートに接続し、前記少なくとも１本のピラーは中空である、請求項１に記載の組込み式ビデオディスプレイ装置を有する車両用ヘッドレスト。
【請求項８】
前記少なくとも１本の中空ピラーはクロムモリブデン鋼管で作られる、請求項１に記載の組込み式ビデオディスプレイ装置を有する車両用ヘッドレスト。
【請求項９】
前記ヘッドレストサポートは、前記少なくとも１本の中空ピラーに対して傾斜することができる、請求項１に記載の組込み式ビデオディスプレイ装置を有する車両用ヘッドレスト。
【請求項１０】
３つの前傾位置がある、請求項１に記載の組込み式ビデオディスプレイ装置を有する車両用ヘッドレスト。
【請求項１１】
前傾位置の各々はラチェット機構によって定位置に固定される、請求項９に記載の組込み式ビデオディスプレイ装置を有する車両用ヘッドレスト。
【請求項１２】
前記ヘッドレストピローの前記後向き構造体は、開口部を含み、
前記開口部は、上側と、底側と、右側と、左側と、前方側とを有する、
請求項１に記載の組込み式ビデオディスプレイ装置を有する車両用ヘッドレスト。
【請求項１３】
ヘッドレストハウジングを更に有し、
前記ヘッドレストハウジングは、前記ヘッドレストピローの前記開口部に嵌合する大きさおよび形状であって、前記ビデオディスプレイ装置はその内部に保持される、請求項１２に記載の組込み式ビデオディスプレイ装置を有する車両用ヘッドレスト。
【請求項１４】
前記ヘッドレストハウジングはＡＢＳプラスチックで作られる、請求項１３に記載の組込み式ビデオディスプレイ装置を有する車両用ヘッドレスト。
【請求項１５】
モニタ装着ベゼルを更に有し、
前記モニタ装着ベゼルは、前記ヘッドレストハウジング内に装着され、前記ビデオディスプレイ装置は、前記モニタ装着ベゼルによって前記ビデオディスプレイハウジングに装着される、請求項１３に記載の組込み式ビデオディスプレイ装置を有する車両用ヘッドレスト。
【請求項１６】
前記ビデオディスプレイ装置は２個のブラケットによって前記モニタ装着ベゼルに装着される、請求項１５に記載の組込み式ビデオディスプレイ装置を有する車両用ヘッドレスト。
【請求項１７】
前記電源およびビデオ入力の合体ケーブルはＤＩＮケーブルである、請求項１に記載の組込み式ビデオディスプレイ装置を有する車両用ヘッドレスト。
【請求項１８】
前記ＤＩＮケーブルは５ピンのＤＩＮケーブルである、請求項１７に記載の組込み式ビデオディスプレイ装置を有する車両用ヘッドレスト。
【請求項１９】
前記ＤＩＮケーブルは８ピンのＤＩＮケーブルである、請求項１７に記載の組込み式ビデオディスプレイ装置を有する車両用ヘッドレスト。
【請求項２０】
着脱可能なビデオディスプレイ装置カバーを更に有する、請求項１に記載の組込み式ビデオディスプレイ装置を有する車両用ヘッドレスト。
【請求項２１】
前記ビデオディスプレイ装置カバーは、前記ヘッドレストピローの後向き構造体にヒンジ式に装着される、請求項２０に記載の組込み式ビデオディスプレイ装置を有する車両用ヘッドレスト。
【請求項２２】
前記ビデオディスプレイ装置カバーには詰め物がされている、請求項２０に記載の組込み式ビデオディスプレイ装置を有する車両用ヘッドレスト。
【請求項２３】
前記ビデオディスプレイ装置は、リモートコントローラルによって指令される、請求項１に記載の組込み式ビデオディスプレイ装置を有する車両用ヘッドレスト。
【請求項２４】
前記リモートコントローラは赤外線信号を用いて前記ビデオディスプレイ装置に指令する、請求項２３に記載の組込み式ビデオディスプレイ装置を有する車両用ヘッドレスト。
【請求項２５】
前記リモートコントローラは無線信号を用いて前記ビデオディスプレイ装置に指令する、請求項２３に記載の組込み式ビデオディスプレイ装置を有する車両用ヘッドレスト。
【請求項２６】
組込み式ビデオディスプレイ装置を有する車両用ヘッドレストであって、
装着されるシートに対して垂直方向の複数の位置に、自らを配置するように垂直方向に調整可能な垂直調整機構を有する、少なくとも１本の中空ピラーと、
前記少なくとも１本の中空ピラーによってシートに接続され、前記少なくとも１本の中空ピラーに対して複数の位置に前傾できるヘッドレストサポートであって、前記複数の前傾位置の各々はラチェット機構によって定位置に固定されるヘッドレストサポートと、
シートと、
アクティブマトリクスＴＦＴ液晶ディスプレイモニタであるビデオディスプレイ装置と、
前記ビデオディスプレイ装置に電力とビデオ入力とを供給するＤＩＮケーブルであるケーブルと、
前記ビデオディスプレイ装置を収容し、前記後向き構造体の前記開口部内に嵌合する寸法および形状を有するビデオディスプレイ装置ハウジングと、
前記ヘッドレストサポートに装着されたヘッドレストピローであって、後向き構造体と、圧力に対して柔軟な前向き構造体と、カバーとを有し、成形された発泡体パッドの芯を有し、前記圧力に対して柔軟な前向き構造体は、シートに座っている人の後頭部が突然後に振り動かされることを防止する大きさおよび形状を有し且つそのような位置に置かれ、前記ヘッドレストピローの後向き構造体は、前記ビデオディスプレイ装置ハウジングを収容する大きさおよび形状を有する、ヘッドレストピローと、
前記ビデオディスプレイ装置を前記ビデオディスプレイハウジング内に装着するモニタ装着ベゼルと、
を有し、
前記ケーブルは、前記少なくとも１本の中空ピラーの中を通ってシート内部に入り、この内部を通って延びる、
車両用ヘッドレスト。
【請求項２７】
組込み式ビデオディスプレイ装置を有する車両用ヘッドレストであって、
装着されるシートに対して垂直方向の複数の位置に自らを配置するよう垂直方向に調整可能な垂直調整機構を有する、少なくとも１本の中空ピラーと、
前記少なくとも１本の中空ピラーによってシートに接続され、前記少なくとも１本の中空ピラーに対して複数の位置に前傾できるヘッドレストサポートであって、前記複数の前傾位置の各々はラチェット機構によって定位置に固定されるヘッドレストサポートと、
シートと、
アクティブマトリクスＴＦＴ液晶ディスプレイモニタであるビデオディスプレイ装置と、
前記ビデオディスプレイ装置に指令を送るリモートコントローラと、
前記ビデオディスプレイ装置に電力とビデオ入力とを供給するＤＩＮケーブルであるケーブルと、
前記ビデオディスプレイ装置を収容し、前記後向き構造体の前記開口部内に嵌合する寸法および形状を有するビデオディスプレイ装置ハウジングと、
前記ヘッドレストサポートに装着されたヘッドレストピローであって、後向き構造体と、圧力に対して柔軟な前向き構造体と、カバーとを有し、成形フォームパッド芯を有し、前記圧力に対して柔軟な前向き構造体は、シートに座っている人の後頭部が突然後に振り動かされることを防止する大きさおよび形状を有し、且つそのような位置に置かれ、前記ヘッドレストピローの後向き構造体は、前記ビデオディスプレイ装置ハウジングを収容する大きさおよび形状を有する、ヘッドレストピローと、
前記ビデオディスプレイ装置を前記ビデオディスプレイハウジング内に装着するモニタ装着ベゼルと、
前記ヘッドレストピローの前記後向き構造体にヒンジ式に装着され、詰め物がされたビデオディスプレイ装置カバーと、
を有し、
前記ケーブルは、前記少なくとも１本の中空ピラーの中を通ってシート内部に入り、この内部を通って延びる、
車両用ヘッドレスト。
【発明の詳細な説明】
【技術分野】
【０００１】
米国特許出願１０／１８８，６６２号（２００２年７月２日出願）の一部継続関連出願をクロスリファレンスする。
【０００２】
本発明は、車両用アクセサリの分野に関し、特に、組込み式液晶ディスプレディスプレイを有するＯＥＭ交換用車両用ヘッドレストの分野に関する。
【背景技術】
【０００３】
現在、特別に車両用として製造された、後方向きビデオモニタを内蔵する相手先商標製品を製造する会社（ＯＥＭ）のヘッドレスト固定手段はない。一般的に、後方向きビデオモニタを備えるヘッドレストは、それを内蔵するように特別に改造される。これらのヘッドレストは、モニタ安全カバーや露出されていないビデオ入力や電源ケーブルを備える後方向きのリモートコントロールビデオモニタを含まない。
【０００４】
自動車は、家族が集まる場として、ダイニングルームにとって変わるようになってきた。
親たちは、野球やバレエの練習といったあるイベントや行事から他のイベントや行事へと子供達を送り迎えすることが多々ある。家族の必要を満たすべく、より大きな車両を購入するようになった。このため、米国国内で販売される４ドア車両の数は飛躍的に増えた。スポーツユーティリティ車両（ＳＵＶ）の売上げが同国で販売された新車のほぼ半分を占める。人々が車内で過ごす時間が増大している。
【０００５】
現代社会の要求のため、２つの収入源を有する家族がもはや例外ではなく標準になってきた。片親または両親が日常的に職場まで通勤している場合がある。購入できる住宅を探すと、多くの人々は職場から遠くに住まざるをえず、その結果、通勤が長くなる。こうした２つの要因、およびその他の多くの要因のために、通勤者は、より多くの時間を、自宅と職場との間を運転して過ごすことを余儀なくされている。多くの通勤者達はカープーリングを行って運転の責任や費用を分担し、カープールレーンの時間節約の利点を得ることで、職場までの運転という煩わしさを軽減することを発見した。社会がより都会化するにつれて、時間がかかる自動車での通勤はますます長くなる。人々はますます長い時間を車内で過ごすことになる。
【０００６】
時間がかかる通勤は、搭乗者達が何かに没頭していれば早く過ぎていくものである。近年ますます、車はオーディオやビデオ装置を装備して、通勤途中の搭乗者が楽しめるようになってきた。今では、搭乗者はインターネットを使い、コンピュータを操作し、ビデオゲームで遊び、娯楽ビデオを見ることができる。製造者は、長い間、乗用車にビデオ娯楽システムを装備してきた。バンやＳＵＶといった大型車両の多くは、天井から吊るしたりダッシュボードやセンターアームレストまたはヘッドレストやシートの後部に装着された、ビデオモニタを備えている。
【０００７】
通常、手慣れた者であれば、本来の装備であるヘッドレストの後部を改造してビデオモニタを収容するようにしている。しかし、これは費用がかかる上に、ヘッドレストを永久に変更することになる。この改造はヘッドレストの安全性の特徴を非常に損なう場合がある。
【０００８】
また、むき出しのモニタは泥棒にとって魅力的である。これは、車両の外から簡単に見えるからである。
【０００９】
むき出しのモニタの表面は非常に堅い。このため、ヘッドレストの後側は、その後ろに座る人達にとって危険である。
【００１０】
モニタにカバーがついていれば、親達は、子供がヘッドレストモニタを見ることをある程度監視することができるだろう。つまり、モニタにカバーをすれば、後部シートから見られなくなる。
【００１１】
現在、前の席の搭乗者がヘッドレストモニタの動作を直接制御する方法はない。リモートコントロールは利用できない。リモートコントロールが利用できれば、ヘッドレストモニタを利用する指令を送ることができる。これができれば親達による監視が可能になる。
【００１２】
これらのモニタでは、ビデオ入力や電源ケーブルがヘッドレストのサポートピラー（ステー）の外側に設けられている。このため、組立てたもの（アセンブリ）は組み立て途中のような外観になる。また、ケーブルは、搭乗者による損傷を受けやすい状態にある。
【発明の開示】
【発明が解決しようとする課題】
【００１３】
したがって、モニタ安全カバーや、露出されていないビデオ入力および電源ケーブルを備え、リモートコントロールできる後向きビデオモニタを内蔵した上で、ヘッドレストの安全に関する要求を維持する車両用に特別に製造された適正価格のＯＥＭヘッドレスト固定手段が必要である。
【課題を解決するための手段】
【００１４】
本発明の実施形態は、モニタ安全カバーや露出されていない（concealed）ビデオ入力および電源ケーブルを有しリモートコントロールされるビデオモニタを内蔵するヘッドレスト固定手段を有する。これは、ＯＥＭヘッドレストまたはアフターマーケットの交換用ヘッドレストとなる。本発明のこの実施形態は、ヘッドレストの安全のための必要条件を維持する。これは、後向きビデオモニタを収容するように専用に改造されたヘッドレストとは異なる。モニタの安全カバーによって、後方シートに座る人がモニタと衝突することを防止する。
【００１５】
専用に改造されたヘッドレストとは異なり、本発明のこの実施形態は、車両製造者の仕様を満たすために専用に設計された。このヘッドレストの設計は、サポート構造や安全を犠牲にすることなく、単にヘッドレスト構造体を取り除いてモニタを嵌め込むのではなく、モニタを収容する。当該ユニットの前面にあるヘッドレストパッドによって頭にかかる衝撃を十分に吸収し、この負荷をサポート構造体に伝達する。このサポート構造は十分に強く、衝撃負荷を上部シート構造体の中に安全に伝える。
【００１６】
ヘッドレストは、中空ヘッドレスト・サポートピラー（ステー）の内部を上方に延びるビデオ入力および電源ケーブルを有する。このため、組立てたものは、組込み式の本来の設備としての外観を呈する。中空ヘッドレストサポートピラーもケーブルを保護する。
【００１７】
詰め物をしたモニタカバーは多数の目的のために役立つ。露出されていないモニタ電源およびビデオ入力ケーブルと、詰め物をしたカバーとを組み合わせることで、このヘッドレストは、通常のヘッドレストのような外観になる。カバーがモニタを隠す。これにより、車上荒らしによってヘッドレストが盗難される確率を軽減できる。
【００１８】
パッドを設けたカバーは、モニタと衝突することによるケガを軽減する機能がある。モニタの後方に座る人たちは、堅いモニタとぶつかって怪我することへの防止手段を持つことになる。
【００１９】
モニタにカバーがついていれば、親達は、ヘッドレストモニタを見ることをある程度監視できる。つまり、モニタにカバーをすれば、後部シートから見られなくなる。
【００２０】
詰め物をしたカバーは、使用していない場合にモニタが損傷されることを防止する。  
【００２１】
リモートコントローラによってビデオディスプレイモニタの動作に指令を送る。リモートコントローラによって生成された赤外信号または無線信号によってビデオディスプレイモニタの機能に指令を与える。リモートコントロールによれば、後部シートまたは前方シートの搭乗者であっても、ヘッドレストモニタの動作を直接制御できる。この特徴によって、親がビデオディスプレイモニタを制御できる。
【００２２】
ヘッドレストを、少なくとも１本の中空の係合ピラーに対して傾斜させて３つの前傾位置に傾斜させることができる。これらの前傾位置の各々は、ラチェット機構によって定位置に固定される。この特徴によれば、シートに座っている人の快適さを増すことができる。あるいは／または、様々な高さの搭乗者がより良い角度でモニタをみることができる。
【００２３】
ＯＥＭは、１社以上の自社以外の会社から得た製品の構成部品を使って自社名称および自社ブランドで販売する製品を製造する会社である。この用語は、構成部品を供給する会社を指して用いることもある。ＯＥＭ部品は、個々の構成部品としてではなく、完成したシステムの一部として販売されることを意図している。
【００２４】
アフターマーケット部品とは、独立した製造者が特定の車両のために製造する部品またはアクセサリである。これらは、車両製造者の仕様を満たしているかもしれないし、満たしていないかもしれない。
【００２５】
上記の記載は、本発明のより直接的で重要な特徴について概説しており、以下の本発明の詳細な説明の方が良いかもしれない。以下に本発明の追加的な特徴を説明する。これらの特徴は、請求項の主題を構成する。当業者においては、同等の構造や方法が、添付の請求項に書かれた本発明の要旨や範囲を逸脱していないことが分かるだろう。
【発明を実施するための最良の形態】
【００２６】
本発明は、後向きの組込み式アクティブマトリクスＴＦＴ液晶ディスプレイモニタを有する車両用ヘッドレストに関する。図１〜図３に示すように、ヘッドレストはフレーム１４を有する。フレーム１４は、ヘッドレストサポート１８と、少なくとも１本の中空ピラー２２とを有する。この少なくとも１つの中空ピラー２２によってヘッドレストサポート１８をシート２６に連結する。
【００２７】
ヘッドレストピロー３０は、後向き構造体５０と、圧力に対して柔軟な前向き構造体３４とを有する。前向き構造体３４は、シートに座る人の後頭部が突然後方に向かって振り動かされることを防止する、大きさおよび形状を有し、且つそのような位置に置かれている。ヘッドレストピロー３０はヘッドレストサポート１８に連結している。ヘッドレストピロー３０の後向き構造体５０は、ビデオディスプレイ装置３８を収容する大きさおよび形状である。ビデオディスプレイ装置３８はディスプレイスクリーン４２と、電源およびビデオ入力の合体ケーブル４６とを有する。
【００２８】
図２〜図９および図１１に示すように、電源およびビデオ入力ケーブル４６は、少なくとも１本の中空ピラー２２の中を通る。
【００２９】
少なくとも１本の中空ピラー２２は、シート２６に対して垂直である複数の位置に、自身を位置決め調節できる垂直調整機構を備える。
【００３０】
本発明の変形では、電力およびビデオ入力の合体ケーブル４６はシート２６を通り、少なくとも１本の中空ピラー２２を通ってビデオディスプレイ装置３８に接続する。
【００３１】
図２および図３に示すように、ヘッドレストピロー３０は、自身が装着されるシート２６のカバー物質と外観や色や手触りが近い物質５８によって覆われた成形された発泡体（フォーム）のパッド５４を含む。
【００３２】
本発明の実施形態では、ビデオディスプレイ装置３８はアクティブマトリクスＴＦＴ液晶ディスプレイモニタである。
【００３３】
本発明の別の実施形態では、フレーム１４は２本のピラー２２を有し、その内の少なくとも１本のピラーは中空である。
【００３４】
本発明の実施形態において、図６および図７は中空ピラー２２を示す。この種類のピラーは、クロムモリブデン鋼管で作ることができる。
【００３５】
本発明の別の変形例では、図１０および図１１に示すように、ヘッドレストサポート１８を少なくとも１本の中空ピラー２２に対して傾けて３つの前傾位置に置くことができる。これらの前傾位置の各々では、ラチェット機構によって定位置に固定される。
【００３６】
ヘッドレストピロー３０の後向き構造体５０は、図１〜図３に示す開口部７０を含む。この開口部は、前向きのヘッドレストの後部から見て、上側、底側、右側、左側、前方側を有する。
【００３７】
ビデオディスプレイハウジング９４は、ヘッドレストピロー３０の開口部７０に嵌合する大きさおよび形状である。ビデオディスプレイハウジング９４はＡＢＳプラスチックから作られてもよい。
【００３８】
ビデオディスプレイハウジング９４にはモニタ装着ベゼル９８が装着されている。モニタ装着ベゼル９８によってビデオディスプレイ装置３８をビデオディスプレイハウジング９４に装着する。
【００３９】
２個のブラケット１０２によってビデオディスプレイ装置３８をモニタ装着ベゼル９８に装着する。
【００４０】
本発明の実施形態では、電源およびビデオ入力の合体ケーブル４６はＤＩＮケーブルである。ＤＩＮケーブルは通常、音声や制御に関する適用に用いられる。ＤＩＮケーブルは５ピンのＤＩＮケーブルまたは８ピンのＤＩＮケーブルでもよい。
【００４１】
詰め物をしたモニタカバーは多様な目的に供される。露出されていないモニタ電源およびビデオ入力ケーブルと、詰め物をしたカバーとを組み合わせることによって、このヘッドレストは通常のヘッドレストの外観になる。つまり、このカバーがモニタを隠す。これは、車上荒らしによってヘッドレストが盗難される可能性を軽減するために役立つかもしれない。
【００４２】
図１２〜図１５は、詰め物をしたビデオディスプレイカバーの２つの実施形態を示す。図１２および図１３は、上に向かって開くヒンジ式カバー１０９を示す。ヒンジ１０７によってカバー１０９を開位置に保持する。ヒンジ式に装着されたカバー１０９は、ビデオディスプレイハウジング９４上方の後向き構造体５０上に位置する。詰め物をしたビデオディスプレイカバー１０９を閉じた場合に、これがモニタ４２を隠す。詰め物をしたカバー１０９の外面１１２は堅くてもよいし、柔らかくてもよい。カバー１０９の手触りや色はヘッドレストと調和するものでも、対称的なものでもよい。詰め物は、気泡（形状）がつながっている発泡体でも、つながっていない発泡体でもよいし、その他の任意の適切な物質でもよい。
【００４３】
図１４および図１５は、下向きに開くヒンジ式カバーを図示する。このカバー１１０は、ビデオディスプレイハウジング９４下方の後向き構造体５０上にヒンジ式に装着される。ジッパ１０８によってカバー１１０の外周部を後向き構造体５０に取り付ける。閉じた場合、詰め物をしたビデオディスプレイカバー１１０がモニタを隠す。ジッパをあけると、重力によってカバー１１０が開く。詰め物がされたカバー１１０の外面１１１は幾分固くてもよいし、軟らかくてもよい。カバー１１０の手触りや色はヘッドレストと調和するものでも、対称的なものでもよい。詰め物は、気泡（形状）がつながっている発泡体でも、つながっていない発泡体でもよいし、その他の任意の適切な物質でもよい。
【００４４】
図１６に示すように、リモートコントローラ２１１によって、ビデオディスプレイモニタ４２の動作に指令する。リモートコントローラによって生じた赤外線信号や無線信号によってビデオディスプレイモニタ４２の機能に指令を送る。リモートコントローラ２１１によって、後部シートまたは前部シートの搭乗者でも、ビデオディスプレイモニタ４２の動作を直接に制御できる。
【００４５】
この開示は、請求項に含まれる内容や、上述の記載内容を含む。本発明を、幾分かの特殊性を有する好適な形式において説明したが、この好適な形式の説明は例示としてのみ行ったものであり、部品の構成、組み合わせ、配置における詳細は、本発明の要旨や範囲を逸脱することなく、多様に変更できることが分かるだろう。したがって、本発明の範囲は、図示した実施形態のみによって決定されるのではなく、添付の請求項や、法的な均等物によって決定されなければならない。
【図面の簡単な説明】
【００４６】
本発明は、添付の図面を参照すれば、より理解が深まるであろう。なお、これらの図面は例示のみを目的とする。
【図１】組込み式ビデオディスプレイ装置を備える車両用ヘッドレストを有する搭乗者シートの斜視図である。
【図２】組込み式ビデオディスプレイ装置を有する車両用ヘッドレストの構成部品の分解斜視図である。
【図３】組込み式ビデオディスプレイ装置を備える車両用ヘッドレストの構成部品を組み立てる順番を示す斜視図である。
【図４】モニタディスプレイスクリーンに対して垂直である車両用ヘッドレストの背面図である。
【図５】組込み式ビデオディスプレイ装置を有する車両用ヘッドレストの正面図である。
【図６】組込み式ビデオディスプレイ装置を有する車両用ヘッドレストの側面図である。
【図７】中空の係合ポストおよびＤＩＮケーブルの、当該ポストの中心線に対して垂直である断面図である。
【図８】ヘッドレストサポートおよび、中空の内部を通るＤＩＮケーブルを有する少なくとも１本の係合ポストを含む２本の係合ポストの背面図である。
【図９】中空係合ポストおよびＤＩＮケーブルの、当該ポストの中心線に対して垂直である断面図である。
【図１０】複数の前傾位置を図示する、組込み式ビデオディスプレイ装置を有する車両用ヘッドレストの側面図である。
【図１１】複数の前傾位置を図示する、組込み式ビデオディスプレイ装置を有する車両用ヘッドレストの斜視図である。
【図１２】開位置にあるヒンジ式モニタカバーを有する車両用ヘッドレストの後面図である。
【図１３】開位置にあるヒンジ式モニタカバーを有する車両用ヘッドレストの側面図である。
【図１４】開位置にある、周囲をジップされたモニタカバーを有する車両用ヘッドレストの後面図である。
【図１５】開位置にある、周囲をジップされたモニタカバーを有する車両用ヘッドレストの側面図である。
【図１】
2005532224.tif 000003
【図２】
2005532224.tif 000004
【図３】
2005532224.tif 000005
【図４】
2005532224.tif 000006
【図５】
2005532224.tif 000007
【図６】
2005532224.tif 000008
【図７】
2005532224.tif 000009
【図８】
2005532224.tif 000010
【図９】
2005532224.tif 000011
【図１０】
2005532224.tif 000012
【図１１】
2005532224.tif 000013
【図１２】
2005532224.tif 000014
【図１３】
2005532224.tif 000015
【図１４】
2005532224.tif 000016
【図１５】
2005532224.tif 000017
【図１６】
2005532224.tif 000018
【国際調査報告】
2005532224.tif 000019
2005532224.tif 000020
2005532224.tif 000021